(57)【要約】【課題】  原稿の両面を読み取る際に、画像の下地濃度が表裏で異なって出力されてしまうことを回避する。【解決手段】  原稿の両面を読み取る際に、表面及び裏面それぞれの読み取り画像の下地情報を検出し、どちらか一方の下地情報に基づいて読み取り画像の下地に関る画像処理を行う。【選択図】  図７
2007336454.tif 000002
【特許請求の範囲】
【請求項１】
原稿の表面画像を読み取る第１の読み取り手段と、
前記原稿の裏面画像を読み取る第２の読み取り手段と、
前記第１及び第２の読み取り手段により読み取られた前記原稿の表面画像及び裏面画像それぞれの下地情報を検出可能な下地情報検出手段と、
前記下地情報検出手段により検出された前記原稿の表面画像及び裏面画像のいずれか一方の下地情報に基づいて他方の下地処理を行う下地処理手段と、
を有することを特徴とする画像読み取り装置。
【請求項２】
前記原稿を搬送する搬送手段を有し、前記第１及び第２の読み取り手段は、前記搬送手段により搬送される原稿の表面画像及び裏面画像を読み取ることを特徴とする請求項１に記載の画像読み取り装置。
【請求項３】
原稿を搬送する搬送手段と、
前記搬送手段により搬送される原稿の画像を読み取る読み取り手段と、
前記読み取り手段により表面画像を読み取られた前記原稿の裏面画像を前記読み取り手段に読み取らせるために前記原稿の表裏を反転させる原稿反転手段と、
前記原稿読み取り手段により読み取られた前記原稿の表面画像及び裏面画像それぞれの下地情報を検出可能な下地情報検出手段と、
前記下地情報検出部により検出された前記原稿の表面画像及び裏面画像のいずれか一方の下地情報に基づいて他方の下地処理を行う下地処理手段と、
を有することを特徴とする画像読み取り装置。
【請求項４】
原稿の表面画像を読み取る第１の読み取りステップと、
前記原稿の裏面画像を読み取る第２の読み取りステップと、
前記第１及び第２の読み取りステップにおいて読み取られた前記原稿の表面画像及び裏面画像いずれかの下地情報を検出する下地情報検出ステップと、
前記下地情報検出ステップにおいて検出された前記原稿の表面画像及び裏面画像のいずれか一方の下地情報に基づいて他方の下地処理を行う下地処理ステップと、
を有することを特徴とする原稿下地処理方法。
【発明の詳細な説明】
【技術分野】
【０００１】
本発明は、デジタル複写機、ファクシミリ等、スキャナ等の画像読み取り装置に関し、特に原稿の両面を読み取る両面読み取り構成を持った画像読み取り装置及び原稿下地処理方法に関する。
【背景技術】
【０００２】
デジタル複写機やファクシミリ等で、新聞や再生紙などのように下地濃度が高い原稿を読み取りそのまま原稿等に出力してしまうと、下地まで再現してしまうため出力原稿が読み取りずらくなる場合がある。
【０００３】
これを解決する為の手法として自動濃度変換（ＡＥ）とよばれる、原稿の下地レベルを検出し、原稿の下地レベルを除去する方法が提案されている。
【０００４】
下地検出の方法には、通常の原稿読み取り動作に先立って原稿の画像を前もって読み取ることにより処理対象画像の地肌濃度を検出しておき、この検出結果に基づいて本読み取り時の画像に対して下地除去処理を行う方式と（以下、プリスキャン方式と称する、例えば特許文献１参照）、下地検出処理をリアルタイムに行い、その検出結果に基づく下地除去処理を行うリアルタイム方式（以下、リアルタイム方式と称する、例えば特許文献２参照）が一般的に使用されている。
【０００５】
プリスキャン方式は、原稿全面のヒストグラムを作成し、ヒストグラムに基づいて原稿の下地濃度を検出し、下地除去係数を判定している為、一般的には精度の良い下地除去が可能となる。しかしながらプリスキャン方式の場合、原稿を一度プリスキャンしてヒストグラムを作成する必要があるため、原稿を２回読み込むことになり生産性が低下する問題点がある。プリスキャンする代わりに、原稿を読み込んだデータをＤＲＡＭ等に記憶しておき、原稿全面のヒストグラムを作成し下地濃度を検出してから、ＤＲＡＭ等から画像を読み出す際に下地除去を行う方法も提案されているが、原稿全面分のＲＡＭが必要な為コストアップする問題点がある。
【０００６】
リアルタイム方式では、原稿の下地をプリスキャン無しにリアルタイムに検出して除去するため、生産性及びコストの問題は解決されているが、原稿に印刷された文字や絵柄によって下地除去の係数が変動してしまう場合があるため、印字情報など原稿の情報が集中している原稿中央部を避けて下地情報を検出する範囲を原稿先端部で行う方法や、特許文献３に記載されたようなリアルタイム方式における問題の対策アルゴリズムが各種提案されている。
【０００７】
次に、複写機等に使用される画像読み取り装置には、原稿搬送装置により原稿を１ページずつ原稿台ガラス上に搬送し、その搬送路に固定された露光装置により露光されて原稿の画像が読み取られる、いわゆる「流し読み」を行うものが知られている（例えば、特許文献４参照）。さらには、生産性向上のために画像読み取り装置を２つ設けて、原稿の表裏を一度の搬送で読み取るものが知られている。（例えば、特許文献５参照）
【特許文献１】特開平３−１５７０６３号公報
【特許文献２】特開平４−３７２５８号公報
【特許文献３】特開平７−３２２０６９号公報
【特許文献４】特開２００１−２８５５９５号公報
【特許文献５】特開２００４−１８７１４４号公報
【発明の開示】
【発明が解決しようとする課題】
【０００８】
上記のような原稿搬送装置により原稿の表面、裏面を読み取る装置での下地除去は、生産性の点からリアルタイム方式で行われる事が一般的であるが、下地濃度検出及び除去については一面ずつ処理が行われており、表面の下地除去は表面の画像データより得られた下地除去係数により下地除去を行い、裏面の下地除去は裏面の画像データより得られた下地除去係数にて下地除去を行っていた。
【０００９】
例えば、原稿先端部でリアルタイム方式にて下地濃度検出を行う場合、両面原稿を読み取った際に、図８に示すように裏面にのみ原稿先端部に印字があった場合、各種問題改善手法を適応したとしても、上述のリアルタイム方式の持つ問題点により表面の下地除去係数と裏面の下地除去係数が異なってしまう場合があり、同一の下地原稿を読み取った場合でも、図９のように出力画像データが表裏で異なるレベルとなって出力されてしまう問題点があった。
【課題を解決するための手段】
【００１０】
上記課題を解決するため請求項１に記載の画像読み取り装置では、原稿の表面画像を読み取る第１の読み取り手段と、前記原稿の裏面画像を読み取る第２の読み取り手段と、前記第１及び第２の読み取り手段により読み取られた前記原稿の表面画像及び裏面画像それぞれの下地情報を検出可能な下地情報検出手段と、前記下地情報検出手段により検出された前記原稿の表面画像及び裏面画像のいずれか一方の下地情報に基づいて他方の下地処理を行う下地処理手段と、を有することを特徴とする。
【００１１】
また、請求項３に記載の画像読み取り装置では、原稿を搬送する搬送手段と、前記搬送手段により搬送される原稿の画像を読み取る読み取り手段と、前記読み取り手段により表面画像を読み取られた前記原稿の裏面画像を前記読み取り手段に読み取らせるために前記原稿の表裏を反転させる原稿反転手段と、前記原稿読み取り手段により読み取られた前記原稿の表面画像及び裏面画像それぞれの下地情報を検出可能な下地情報検出手段と、前記下地情報検出部により検出された前記原稿の表面画像及び裏面画像のいずれか一方の下地情報に基づいて他方の下地処理を行う下地処理手段と、を有することを特徴とする。
【００１２】
また、請求項４に記載の原稿下地処理方法では、原稿の表面画像を読み取る第１の読み取りステップと、前記原稿の裏面画像を読み取る第２の読み取りステップと、前記第１及び第２の読み取りステップにおいて読み取られた前記原稿の表面画像及び裏面画像いずれかの下地情報を検出する下地情報検出ステップと、前記下地情報検出ステップにおいて検出された前記原稿の表面画像及び裏面画像のいずれか一方の下地情報に基づいて他方の下地処理を行う下地処理ステップと、を有することを特徴とする。
【発明の効果】
【００１３】
以上のように、本発明では原稿の両面を読み取る際に、表面画像及び裏面画像それぞれの下地情報のいずれか一方の下地情報に基づいて他方の下地処理を行うため、画像の下地濃度が表裏で異なって出力されてしまうことを回避可能となる。
【発明を実施するための最良の形態】
【００１４】
以下、本発明を実施するための最良の形態について図面に基づいて以下実施例に詳細に説明する。
【実施例】
【００１５】
［実施例１］
図１は、本実施例で使用する自動原稿給送装置を搭載した画像読み取り装置の構成を示す図である。また、図２は図１の画像読み取り装置によって実行される両面原稿読み取り動作のフローチャートである。以下、図１及び図２を用いて、画像読み取り装置の構成及び動作を説明する。
【００１６】
図１において、１００は自動原稿給送装置である。１０１は原稿トレイであり、原稿１０２を積載する。原稿トレイ１０１の上方には、給紙ローラ１０３が設けられている。給紙ローラ１０３は、分離搬送ローラ１０４と同一駆動源に接続され、その回転に連れて回転し、原稿１０２を給紙する（ステップＳ２０１）。
【００１７】
給紙ローラ１０３は、通常、ホームポジションである上方の位置に退避しており、原稿のセット作業を阻害しないようになっている。給紙動作が開始されると、給紙ローラ１０３は下降して原稿１０２の上面に当接する。給紙ローラ１０３は、図示しないアームに軸支されているので、アームが揺動することにより上下に移動する。
【００１８】
分離搬送従動ローラ１０５は、分離搬送ローラ１０４の対向側に配置されており、分離搬送ローラ１０４側に押圧されている。分離搬送従動ローラ１０５は、分離搬送ローラ１０４より僅かに摩擦が少ないゴム材等から形成されており、分離搬送ローラ１０４と協働して、給紙ローラ１０３によって給紙される原稿１０２を１枚ずつ捌いて給紙する。
【００１９】
レジストローラ１０６およびレジスト従動ローラ１０７は、分離部で給紙された原稿の先端を揃えるものであり、静止したレジストローラ対１０６、１０７のニップ部に向けて分離した原稿の先端を突き当て、原稿にループを生じさせてその先端を揃える。そして、リードローラ１０８およびリード従動ローラ１０９は、原稿を流し読みガラス１１６に向けて搬送する。流し読みガラス１１６の対向側には、プラテンローラ１１０が配置されている。
【００２０】
この際、流し読みガラス１１６上を通過する原稿１０２の表面の画像情報をＣＣＤラインセンサ１２６（第１の読み取り手段）にて読み取る（ステップＳ２０２）、ＣＣＤラインセンサ１２６での原稿１０２の表面画像読み取りが終了すると、リード排出ローラ１１１およびリード排出従動ローラ１１２は、原稿をＣＩＳ（コンタクトイメージセンサ）１２８側に搬送する。１１７は流し読みガラス１１６からシートをすくい上げるためのジャンプ台である。ＣＩＳ１２８の対向側には、プラテンローラ１２７が配置されている。
【００２１】
この際、流し読みガラス１３０上を通過する原稿１０２の裏面の画像情報をＣＩＳ１２８（第２の読み取り手段）にて読み取る（ステップＳ２０３）、ＣＩＳ１２８での原稿１０２の裏面画像読み取りが終了すると、排紙ローラ１１３は原稿を排紙トレイ１１４に排出する（ステップＳ２０４）。
【００２２】
１１５は画像読み取り装置である。画像読み取り装置１１５は、読み取り原稿面に対して光を照射するランプ１１９、および原稿１０２からの反射光をレンズ１２５およびＣＣＤラインセンサ１２６に導くミラー１２０、１２１、１２２を有する。ランプ１１９およびミラー１２０は、第１ミラー台１２３に取り付けられている。また、ミラー１２１、１２２は、第２ミラー台１２４に取り付けられている。
【００２３】
ミラー台１２３、１２４は、ワイヤ（図示せず）によって駆動モータ（図示せず）と結合され、駆動モータの回転駆動により原稿台ガラス１１８と平行に移動する。原稿からの反射光は、ミラー１２０、１２１、１２２を介してレンズ１２５に導かれ、レンズ１２５によってＣＣＤラインセンサ１２６の受光部に結像される。ＣＣＤラインセンサ１２６は、結像した反射光を受光素子で光電変換し、入射光量に応じた電気信号を出力する。
【００２４】
ＣＩＳラインセンサ１２８も同様に原稿１０２からの反射光を受光素子で光電変換し、入射光量に応じた電気信号を出力する。
【００２５】
上記構成を有する画像読み取り装置では、原稿固定読み取りモードと流し読みモードの２つのモードで原稿を読み取ることができる。原稿固定読み取りモードは、原稿１０２を原稿台ガラス１１８上に載置し、第１ミラー台１２３および第２ミラー台１２４を副走査方向（図中矢印方向）に移動させながら原稿を読み取るモードである。また、流し読みモードは、第１ミラー台１２３および第２ミラー台１２４を停止させた状態で、原稿搬送装置１００によって原稿１０２を搬送させながら、流し読みガラス１１６，１３０位置で原稿を読み取るモードである。
【００２６】
なお、流し読みガラス１１６のＣＣＤラインセンサ１２６による読み取り位置と、流し読みガラス１３０のＣＩＳラインセンサ１２８による読み取り位置は、本実施例では４０ｍｍの間隔で配置されている。なお、この間隔は４０ｍｍに限定される物ではない。
【００２７】
次に、図３に本実施例の画像処理回路の構成ブロック図を示す。
【００２８】
ＣＣＤラインセンサ１２６からのアナログ信号をＡ／Ｄ変換回路３０１が８ｂｉｔのデジタル信号（０が高濃度、２５５が低濃度を示す）に変換する。Ａ／Ｄ変換回路３０１によってデジタルに変換された画像データにシェーディング補正回路３０２がシェーディング補正を施す。そして、下地処理回路３０９が、シェーディング補正された８ｂｉｔの画像データの下地検出及び除去を行う。
【００２９】
下地処理回路３０９は、ユーザーから下地除去モードを指定されたか否かによって、画像データを下地処理をせずにそのまま後段に出力するか、下地除去処理をした画像データを後段に出力するかを切り換える事が可能となっている。
【００３０】
次にＣＩＳラインセンサ１２８からのアナログ信号をＡ／Ｄ変換回路３０３がデジタル信号に変換する。Ａ／Ｄ変換回路３０３によってデジタルに変換された画像データにシェーディング補正回路３０４がシェーディング補正を施す。そして、下地処理回路３１０は下地処理回路３０９と同様の動作を行う。
【００３１】
下地処理回路３１０から出力されたＣＩＳラインセンサ１２８からの画像データは、一時記憶メモリ３０５に一時記憶される。出力選択回路３０６は、ＣＣＤラインセンサ１２６からの画像データを画像データ出力ライン３０８に転送するか、一時記憶メモリ３０５に記憶されたＣＩＳラインセンサ１２８からの画像データを画像データ出力ライン３０８に転送するかを選択する。
【００３２】
また、下地除去回路３０９、３１０はお互いの検出した下地除去係数を相互に参照する事が可能となっている。
【００３３】
図４は下地除去回路３０９、３１０の詳細構成図である、下地除去は各種方法が提案されているが、本実施例では説明の簡易化のため最も基本的な方法での下地除去について説明する。
【００３４】
ＦＩＦＯメモリ４０１は、画像データを２５０ライン分遅延させて後段回路に出力（６００ｄｐｉ読み取り時約１０ｍｍに相当）できるようになっている。ＦＩＦＯメモリ４０１は、下地除去係数を求め終わるまで画像データをバッファする為に用意されている（下地除去係数が決定した段階で画像データの下地除去を行う）。また、原稿先端１０ｍｍにて下地濃度を検出する場合の例であり、ＦＩＦＯメモリサイズはこれに限る物ではない。
【００３５】
平均化回路４０２は、画像データ入力について指定した領域（原稿の所定領域）の平均値を算出できるようになっており、原稿の所定領域の平均値を算出する事により原稿の下地濃度を検出する。下地除去係数演算回路４０４は、平均化回路４０２の演算した平均値を受けて下記の演算を行う。
【００３６】
ＢＫ＝２５５／ＡＶＥ（ＢＫ：下地除去係数、ＡＶＥ：平均化回路の平均値）
ここで求まった下地除去係数ＢＫをゲイン回路４０３に反映する（内部生成モード）。また、下地除去係数演算回路４０４は、外部から入力された下地除去係数をゲイン回路４０３に出力する事も出来る（外部入力モード）。図５に、下地除去係数演算回路４０４のモード表を示す。
【００３７】
ゲイン回路４０３は、下地除去係数演算回路４０４から入力された下地除去係数を使用し下記の演算を行う。
ＯＵＴ＝ＢＫＩＮ×ＩＮＢ（２５５以上は２５５でクリップ）
（ＯＵＴ：下地除去後画像データ、ＢＫＩＮ：下地除去係数、ＩＮＢ：バッファメモリからの入力データ）
上記演算を行う事で、例えば下地レベル平均値が１４０であった場合に、１４０を２５５にする演算を行う。この演算により、下地レベルを除去した読み取りデータ出力が可能となる。このときの処理画像例を図６に記す。図６は、下地処理前画像の原稿先端部にて平均値を算出した際の例である。
【００３８】
選択回路４０５は、ユーザーから下地除去モードを指定されたか否かによって、画像データを下地処理せずにそのまま後段に出力するか、下地除去処理をした画像データを後段に出力するか切り換える事が可能となっている。
【００３９】
図７は、これらを制御して原稿の両面を同時に読み取り、下地検出、除去を行う際のフローチャートである。
【００４０】
上記構成にて原稿の両面を同時に読み取る際、まずユーザーが下地処理適応、非適応を選択したかを判断する（ステップＳ７０１）。
【００４１】
下地処理適応を選択された場合、下地処理回路３０９は、図５の内部生成モードに設定しておき、下地処理回路３１０を図５の外部入力モードとしておく（ステップＳ７０２）。
【００４２】
非適応であった場合は、下地処理回路３０９、下地処理回路３１０に下地処理非適応の設定を行う（ステップＳ７０３）。
【００４３】
原稿給紙を開始すると（ステップＳ７０４）、ＣＣＤラインセンサ１２６の原稿読み取り位置がＣＩＳ１２８の原稿読み取り位置より搬送の上流側にあるため、ＣＣＤラインセンサ１２６の原稿画像データが先に得られる。本実施例では、流し読みガラス１１６のＣＣＤラインセンサ１２６読み取り位置と、流し読みガラス１３０のＣＩＳ１２８読み取り位置は、本実施例では４０ｍｍの間隔で配置されているため、ＣＣＤラインセンサ１２６の原稿読み取り位置に原稿先端が来てから、ＣＩＳ１２８の原稿読み取り位置に原稿先端が来るまで４０ｍｍの間隔がある。
【００４４】
下地処理適応を選択された場合、下地処理回路３０９は、原稿先端から原稿が１０ｍｍ搬送されるまでに上述した方法で原稿の平均値を算出し、下地除去係数をゲイン回路４０３に設定することで、ＣＣＤラインセンサ１２６側の画像データの下地除去を開始する（ステップＳ７０６）。
【００４５】
次に、ＣＩＳ１２８側の画像データは、下地処理回路３１０が外部入力モードに設定されているため、下地処理回路３０９の生成した（ＣＣＤラインセンサ１２６側で生成された）下地除去係数に基づいて下地除去を行う（ステップＳ７０７）。下地処理回路３０９が下地除去係数を演算してから、ＣＩＳ１２８の原稿先端が来るまで（４０−１０ｍｍ）３０ｍｍの間隔があるため、ＣＩＳ１２８側は原稿先端が来た時点から原稿画像データの下地除去が可能となる。
【００４６】
下地処理非適応を選択された場合は、下地処理に関する部分はスルーされ、読み取り動作に関しては同様に行われる（ステップＳ７１２、Ｓ７１３）。
【００４７】
次に、出力選択回路３０６は、ＣＣＤラインセンサ１２６の画像データを画像データ出力ライン３０８に転送開始し、ＣＩＳ１２８からの画像データについては、一時記憶メモリ３０５に一時記憶しておく（ステップＳ７０８）。ＣＣＤラインセンサ１２６からの画像データを画像データ出力ライン３０８に転送終了したことを検出すると（ステップＳ７０９）、出力選択回路３０６を切り換えて、一時記憶メモリ３０５に記憶されたＣＩＳ１２８からの画像データを画像データ出力ライン３０８に転送開始する（ステップＳ７１０）。一時記憶メモリ３０５からＣＩＳ１２８からの画像データを画像データ出力ライン３０８に転送終了した事を検出し（ステップＳ７１１）、原稿の両面同時読み取り出力を終了する。
【００４８】
このように制御する事で、下地処理適応を選択された場合に、従来、図８のような裏面にのみ原稿先端部に印字がある原稿の場合に起きていた図９に示すような画像レベル差が発生する不具合のない両面原稿の読み取りが可能となる。具体的に述べると、従来は、下地除去回路がそれぞれ内部生成モードで動作し、平均化回路４０２の平均値演算結果が表面と裏面とで異なっていた。そのため、結果的にゲイン回路への下地除去係数が異なってしまい、表面、裏面で異なった下地レベルの画像が出力されてしまっていた。本実施例によれば、このような従来の問題を解決し、図１０に示すように、表面と裏面とで下地レベル差のない原稿読み取りが可能となる。
【００４９】
［実施例２］
実施例２では、実施例１と同様の構成で反転両面読み取りを行う際の動作について説明する。反転両面読み取りモード時の原稿の動きについて説明すると、原稿トレイ１０１上に積載された原稿１０２は、給紙ローラ１０３により最上位の原稿から分離搬送ローラ対１０４，１０５との間に搬送される。原稿が複数枚重なって搬送された場合、分離搬送ローラ１０４と分離搬送従動ローラ１０５は、原稿を１枚に分離して搬送する。
【００５０】
１枚に分離された原稿は、下流側にあるレジストローラ対１０６，１０７によって原稿の先端を揃えられて、リードローラ対１０８，１０９を通過して第一の読み取り部（表面読み取り部）に搬送される。続けて原稿１０２は、リード排出ローラ１１１，１１２を通過して第二の読み取り部（裏面読み取り部）に案内され（反転両面読み取りモード時は第二の読み取り部では原稿の読み取りを行わない）、続けて排紙ローラ１１３に搬送される。
【００５１】
その後、原稿１０２は、原稿反転パス１２９に送り込まれて分離搬送ローラ対１０４，１０５へ向けてスイッチバック搬送される。原稿１０２はレジストローラ対１０６，１０７によって先端を揃えられて第一の読み取り部へと搬送される。このとき、原稿１０２は、原稿反転パス１２９により表裏が反転している。続けて原稿１０２は、リード排出ローラ１１１、１１２を通過して第二の読み取り部（裏面読み取り部）に案内され、続けて排紙ローラ１１３に搬送され排紙トレイ１１４に排出される。
【００５２】
反転両面読み取りは、主にＣＣＤラインセンサ１２６とＣＩＳ１２８の特性の違いにより発生する微妙な読み取り濃度差が許容できないような精度の高い読み取りを行いたい場合に使用する。
【００５３】
反転両面読み取りモード時の画像制御系の動きについて図１１のフローチャートを用いて説明する。
【００５４】
まず、ユーザーが下地処理適応、非適応を選択したかを判断する（ステップＳ１１０１）。
【００５５】
下地処理適応を選択された場合、下地処理回路３０９は、図５の内部生成モードに設定しておき、下地処理回路３１０を図５の外部入力モードとしておく（ステップＳ１１０２）。
【００５６】
非適応であった場合は、下地処理回路３０９、下地処理回路３１０に下地処理非適応の設定を行う（ステップＳ１１０３）。
【００５７】
次に、原稿給紙を開始し（ステップＳ１１０４）、ステップＳ１１０５において下地処理適応を選択された場合、下地処理回路３０９は原稿先端から原稿が１０ｍｍ搬送されるまでに上述した方法で原稿の平均値を算出し、下地除去係数をゲイン回路４０３に設定することでＣＣＤラインセンサ１２６側の画像データの下地除去を開始する（ステップＳ１１０６）。
【００５８】
次に、出力選択回路３０６からＣＣＤラインセンサ１２６の画像データを画像データ出力ライン３０８に転送開始する、このときＣＩＳ１２８の読み取りは行わず、ＣＣＤラインセンサ１２６から原稿表面の画像データを画像データ出力ライン３０８に転送終了したことを検出すると（ステップＳ１１０８）、反転パス１２９を通して原稿を表裏反転しＣＣＤラインセンサ１２６にて原稿裏面を読み取る。
【００５９】
下地処理回路３０９は、表面で使用した下地処理係数をそのまま使用し下地除去を行い、下地処理回路３０９で処理された画像データを画像データ出力ライン３０８に転送する（ステップＳ１１１０）。ＣＣＤラインセンサ１２６からの画像データを画像データ出力ライン３０８に転送終了した事を検出すると（ステップＳ１１１２）、原稿の読み取り動作を終了する。
【００６０】
また、ステップＳ１１０５において下地処理非適応を選択された場合は、下地処理回路３０９は、選択回路４０５にてＣＣＤラインセンサ１２６の画像データを下地除去を行わずに転送する（ステップＳ１１０７）。このときＣＩＳ１２８の読み取りは行わず、ＣＣＤラインセンサ１２６から原稿表面の画像データを画像データ出力ライン３０８に転送終了したことを検出すると（ステップＳ１１０９）、反転パス１２９を通して原稿を表裏反転しＣＣＤラインセンサ１２６にて原稿裏面を読み取る。
【００６１】
下地除去が行われていない画像データを画像データ出力ライン３０８に転送する（ステップＳ１１１１）。ＣＣＤラインセンサ１２６からの画像データを画像データ出力ライン３０８に転送終了した事を検出すると（ステップＳ１１１３）、原稿の読み取り動作を終了する。
【００６２】
このように制御する事で、実施例１同様に、下地処理適応を選択された場合に、従来、図８のような裏面にのみ原稿先端部に印字がある原稿の場合に起きていた図９に示すような画像レベル差が発生する不具合のない両面原稿の読み取りが可能となる。具体的に述べると、従来は、下地除去回路がそれぞれ内部生成モードで動作し、平均化回路４０２の平均値演算結果が表面と裏面とで異なっていた。そのため、結果的にゲイン回路への下地除去係数が異なってしまい、表面、裏面で異なった下地レベルの画像が出力されてしまっていた。本実施例によれば、このような従来の問題を解決し、図１０に示すように、表面と裏面とで下地レベル差のない原稿読み取りが可能となる。
【図面の簡単な説明】
【００６３】
【図１】装置概略構成図である。
【図２】原稿読み取りフローチャートである。
【図３】画像系制御構成図である。
【図４】下地処理回路詳細構成図である。
【図５】下地除去モード表である。
【図６】下地処理画像例である。
【図７】両面同時読み取りフローチャートである。
【図８】下地処理前画像を示す図である。
【図９】下地処理後画像を示す図である。
【図１０】下地処理後画像を示す図である。
【図１１】反転両面原稿読み取りフローチャートである。
【符号の説明】
【００６４】
１００  自動原稿給送装置
１２６  ＣＣＤラインセンサ
１２８  ＣＩＳ
１２９  反転パス
３０９  下地処理回路
【図１】
2007336454.tif 000003
【図２】
2007336454.tif 000004
【図３】
2007336454.tif 000005
【図４】
2007336454.tif 000006
【図５】
2007336454.tif 000007
【図６】
2007336454.tif 000008
【図７】
2007336454.tif 000009
【図８】
2007336454.tif 000010
【図９】
2007336454.tif 000011
【図１０】
2007336454.tif 000012
【図１１】
2007336454.tif 000013